(57)【要約】【課題】簡易かつ迅速に分析処理を開始できるとともにセキュリティ性を向上させた分析装置を提供すること。【解決手段】本発明は、操作者の操作にしたがって検体を分析する分析装置１において、個人生体情報である指紋情報を入力する指紋入力部３４と、予め取得された各操作者の指紋情報を記憶する記憶部３７と、指紋入力部３４によって入力された指紋情報と記憶部３７に記憶された指紋情報とを照合して指紋入力部３４によって入力された指紋情報に対応する操作者を特定する指紋照合部３２と、指紋照合部３２によって特定された操作者に応じて実施可能である操作を制限する操作制御部３３と、を備えたことを特徴とする。【選択図】        図１
2008082744.tif 000002
【特許請求の範囲】
【請求項１】
操作者の操作にしたがって検体を分析する分析装置において、
個人生体情報を入力する入力手段と、
予め取得された各操作者の個人生体情報を記憶する記憶手段と、
前記入力手段によって入力された個人生体情報と前記記憶手段に記憶された個人生体情報とを照合して前記入力手段によって入力された個人生体情報に対応する操作者を特定する照合手段と、
前記照合手段によって特定された操作者に応じて実施可能である操作を制限する制御手段と、
を備えたことを特徴とする分析装置。
【請求項２】
操作者の操作にしたがって検体を分析する分析装置において、
個人生体情報を入力する入力手段と、
予め取得された各操作者の個人生体情報を記憶する記憶手段と、
前記入力手段によって入力された個人生体情報と前記記憶手段に記憶された個人生体情報とを照合して前記入力手段によって入力された個人生体情報に対応する操作者を特定する照合手段と、
操作を受け付ける各操作画面を表示出力する出力手段と、
前記照合手段によって特定された操作者に応じて前記出力手段における各操作画面の表示出力を制限する制御手段と、
を備えたことを特徴とする分析装置。
【請求項３】
操作者の操作にしたがって検体を分析する分析装置において、
個人生体情報を入力する入力手段と、
予め取得された各操作者の個人生体情報を記憶する記憶手段と、
前記入力手段によって入力された個人生体情報と前記記憶手段に記憶された個人生体情報とを照合して前記入力手段によって入力された個人生体情報に対応する操作者を特定する照合手段と、
前記照合手段によって特定された操作者に対応した操作条件を設定する制御手段と、
を備えたことを特徴とする分析装置。
【請求項４】
前記記憶手段は、前記操作者の複数の個人生体情報を記憶し、
前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、
前記制御手段は、前記照合手段によって特定された操作者および該操作者のいずれの前記個人生体情報であるかによって実施可能である操作を制限することを特徴とする請求項１に記載の分析装置。
【請求項５】
前記記憶手段は、前記操作者の複数の個人生体情報を記憶し、
前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、
前記制御手段は、前記照合手段によって特定された操作者および該操作者のいずれの前記個人生体情報であるかによって前記出力手段における各操作画面の表示出力を制限することを特徴とする請求項２に記載の分析装置。
【請求項６】
前記記憶手段は、前記操作者の複数の個人生体情報を記憶し、
前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、
前記制御手段は、前記照合手段によって特定された操作者および該操作者のいずれの前記個人生体情報であるかによって前記操作条件を設定することを特徴とする請求項３に記載の分析装置。
【請求項７】
前記個人生体情報は、指に関する情報であることを特徴とする請求項１〜６のいずれか一つに記載の分析装置。
【発明の詳細な説明】
【技術分野】
【０００１】
この発明は、操作者の操作にしたがって検体を分析する分析装置に関する。
【背景技術】
【０００２】
自動分析装置は、多数の検体に対する分析処理を同時に行い、さらに、多成分を迅速に、かつ、高精度で分析できるため、免疫学検査、生化学検査、輸血検査などさまざまな分野での検査に用いられている。このような分析装置は、反応容器内で検体と試薬とを反応させる反応機構、各試薬と検体との反応液を光学的に測定する測定機構を所定のターンテーブル上に配置し、さらに検体、試薬および反応液を各機構に分注または移送する複数の分注移送機構を備え、様々な分析項目の検査を行っている。ここで、分析装置においては、検体提供者に関する個人情報を扱うため、個人情報漏洩防止の観点から、分析装置の操作を行う場合には、操作者に対してＩＤとパスワードの入力を要求していた。そして、従来においては、円滑な分析処理を実現するために、操作者の能力に対応して操作可能範囲を変える場合があった。このため、分析装置は、ＩＤとパスワードを照合し、ＩＤに対応する操作者を確認できた場合に、各操作者に対応させて分析装置の操作を許可していた（特許文献１参照）。
【０００３】
【特許文献１】特開平１−２５０７５８号公報
【発明の開示】
【発明が解決しようとする課題】
【０００４】
ところで、分析装置の分析対象である検体は、提供者から採取された血液や尿などの生体液である。このような生体液は、経時的に変性しやすいため、提供者から採取されてから分析装置において実際に分析されるまでの待機時間を短縮することが望ましい。
【０００５】
しかしながら、従来の分析装置においては、分析処理を開始するためには、まず初めに操作者がマウスやキーボードを操作してＩＤとパスワードを入力するという煩雑な処理を行う必要があった。さらに、従来の分析装置においては、ＩＤとパスワードによる操作者特定方式を採用していたため、ＩＤの誤入力の発生およびＩＤ、パスワードの不正使用による個人情報漏洩のおそれもあった。
【０００６】
本発明は、上記に鑑みてなされたものであって、簡易かつ迅速に分析処理を開始できるとともにセキュリティ性を向上させた分析装置を提供することを目的とする。
【課題を解決するための手段】
【０００７】
上述した課題を解決し、目的を達成するために、この発明にかかる分析装置は、操作者の操作にしたがって検体を分析する分析装置において、個人生体情報を入力する入力手段と、予め取得された各操作者の個人生体情報を記憶する記憶手段と、前記入力手段によって入力された個人生体情報と前記記憶手段に記憶された個人生体情報とを照合して前記入力手段によって入力された個人生体情報に対応する操作者を特定する照合手段と、前記照合手段によって特定された操作者に応じて実施可能である操作を制限する制御手段と、を備えたことを特徴とする。
【０００８】
また、この発明にかかる分析装置は、操作者の操作にしたがって検体を分析する分析装置において、個人生体情報を入力する入力手段と、予め取得された各操作者の個人生体情報を記憶する記憶手段と、前記入力手段によって入力された個人生体情報と前記記憶手段に記憶された個人生体情報とを照合して前記入力手段によって入力された個人生体情報に対応する操作者を特定する照合手段と、操作を受け付ける各操作画面を表示出力する出力手段と、前記照合手段によって特定された操作者に応じて前記出力手段における各操作画面の表示出力を制限する制御手段と、を備えたことを特徴とする。
【０００９】
また、この発明にかかる分析装置は、操作者の操作にしたがって検体を分析する分析装置において、個人生体情報を入力する入力手段と、予め取得された各操作者の個人生体情報を記憶する記憶手段と、前記入力手段によって入力された個人生体情報と前記記憶手段に記憶された個人生体情報とを照合して前記入力手段によって入力された個人生体情報に対応する操作者を特定する照合手段と、前記照合手段によって特定された操作者に対応した操作条件を設定する制御手段と、を備えたことを特徴とする。
【００１０】
また、この発明にかかる分析装置は、前記記憶手段は、前記操作者の複数の個人生体情報を記憶し、前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、前記制御手段は、前記照合手段によって特定された操作者および該操作者のいずれの前記個人生体情報であるかによって実施可能である操作を制限することを特徴とする。
【００１１】
また、この発明にかかる分析装置は、前記記憶手段は、前記操作者の複数の個人生体情報を記憶し、前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、前記制御手段は、前記照合手段によって特定された操作者および該操作者のいずれの前記個人生体情報であるかによって前記出力手段における各操作画面の表示出力を制限することを特徴とする。
【００１２】
また、この発明にかかる分析装置は、前記記憶手段は、前記操作者の複数の個人生体情報を記憶し、前記照合手段は、前記入力手段によって入力された個人生体情報と前記記憶手段に記憶された個人生体情報とを照合して前記入力手段によって入力された個人生体情報がいずれの前記操作者のいずれの前記個人生体情報であるかを特定し、前記制御手段は、前記照合手段によって特定された操作者および該操作者のいずれの前記個人生体情報であるかによって前記操作条件を設定することを特徴とする。
【００１３】
また、この発明にかかる分析装置は、前記個人生体情報は、指に関する情報であることを特徴とする。
【発明の効果】
【００１４】
本発明によれば、入力手段によって入力された個人生体情報と記憶手段に記憶された個人生体情報とを照合して入力手段によって入力された個人生体情報に対応する操作者を特定し、特定された操作者に応じて実施可能である操作を制限するため、簡易かつ迅速に分析処理を開始できるとともにセキュリティ性を向上させた分析装置を提供することが可能になる。
【発明を実施するための最良の形態】
【００１５】
以下、図面を参照して、この発明の実施の形態について説明する。なお、この実施の形態によりこの発明が限定されるものではない。また、図面の記載において、同一部分には同一の符号を付している。
【００１６】
図１は、本実施の形態にかかる分析システムの全体構成を示す図である。図１に示すように、本実施の形態にかかる分析装置１は、反応容器内で生じる反応を光学的に測定する測定機構２と、測定機構２の駆動制御を行うとともに測定機構２における測定結果の分析を行う制御機構３とを有する。分析装置１は、測定機構２と制御機構３とが協働することによって、血液や体液等の検体に対する免疫学検査、生化学検査、輸血検査を行う。
【００１７】
測定機構２は、搬送される反応容器に、検体等の試料および試薬を順次分注し、攪拌した後、検体と試薬が反応した反応液を光学的に測定する。光学的測定が終了した反応容器は、そのまま廃棄される場合もあり、洗浄後に再度検体の分析に使用される場合もある。
【００１８】
制御機構３は、図２の本体部１０１に示すように、一または複数のコンピュータシステムを用いて実現され、測定機構２に接続する。制御機構３は、分析装置１の各処理にかかわる各種プログラムを用いて、測定機構２の動作処理の制御を行うとともに測定機構２から出力された測定情報の分析を行い保存する。制御機構３は、制御部３１、指紋入力部３４、入力部３５、分析部３６、記憶部３７、出力部３８および送受信部３９を備える。
【００１９】
制御部３１は、制御機能を有するＣＰＵ等を用いて構成され、分析装置１の各構成部位の処理および動作を制御する。制御部３１は、これらの各構成部位に入出力される情報について所定の入出力制御を行い、かつ、この情報に対して所定の情報処理を行う。制御部３１は、記憶部３７が記憶するプログラムをメモリから読み出すことにより分析装置１の制御を実行する。制御部３１は、指紋照合部３２と操作制御部３３とを有する。
【００２０】
指紋入力部３４は、個人生体情報である指紋情報の入力を行い、入力された指紋情報を制御部３１に送出する。指紋入力部３４は、たとえば、図２に示すように、制御部３１を構成する本体部１０１に接続する指紋押圧装置１０５であり、操作者によって所定の指紋押圧領域に指の腹が押し付けられることによって、指紋入力部３４に指紋情報が入力される。指紋入力部３４は、指紋押圧領域に設けられた所定の測定点において圧力値を検出する。そして、指紋処理部３２は、指紋押圧領域に操作者が所定の指の腹を押し付けた際に指紋の凹部と凸部とでは圧力値が異なることを利用して、各測定点における圧力値を処理し、指紋の凹凸に応じた圧力分布を形成し、この圧力分布である指紋パターンを指紋情報として制御部３１に出力する。
【００２１】
入力部３５は、図２に示すように種々の情報を入力するためのキーボード１０３、出力部３８の表示画面上における任意の位置を指定するためのマウス１０４等を用いて構成され、検体の分析に必要な諸情報や分析動作の指示情報等を外部から取得する。分析部３６は、測定機構２から取得した測定結果に基づいて検体の成分分析等を行う。
【００２２】
記憶部３７は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部３７は、ＣＤ−ＲＯＭ、ＤＶＤ−ＲＯＭ、ＰＣカード等の記憶媒体に記憶された情報を読み取ることができる補助記憶装置を備えてもよい。記憶部３７は、生体情報である指紋と、この生体情報に対応する操作者を識別する情報とを示す照合テーブルを記憶する。また、記憶部３７は、各操作者と各操作者に対応する操作条件とを示す設定テーブルを記憶する。
【００２３】
出力部３８は、図２に示すディスプレイ１０２のほか、プリンタ、スピーカー等を用いて構成され、検体の分析結果を含む諸情報を出力する。送受信部３９は、通信ネットワークを介して所定の形式にしたがった情報の送受信を行うインターフェースとしての機能を有する。
【００２４】
指紋照合部３２は、指紋入力部３４によって入力された指紋情報と記憶部３７に記憶された指紋情報とを照合し、指紋入力部３４によって入力された指紋情報に対応する操作者を特定する。指紋照合部３２は、指紋入力部３４から入力された指紋パターンを処理し、この指紋パターンに対応する識別情報を取得する。そして、指紋照合部３２は、記憶部３７に記憶された照合テーブルを参照し、指紋パターンに対応する識別情報がいずれの操作者に該当するかを判断する。
【００２５】
操作制御部３３は、指紋照合部３２によって特定された操作者に応じて、実施可能である操作を制限する。操作制御部３３は、指紋照合部３２によって特定された操作者に応じて、出力部３８における各操作画面の表示出力を制限する。
【００２６】
つぎに、図３を参照して、分析装置１における操作画面を表示するまでの処理手順について説明する。図３に示すように、制御部３１は、入力部３５から入力された分析装置の起動を指示する指示情報の有無をもとに、分析装置１が起動するか否かを判断する（ステップＳ２）。制御部３１は、分析装置１が起動すると判断するまでステップＳ２の判断処理を繰り返し、分析装置１が起動すると判断した場合（ステップＳ２：Ｙｅｓ）、指紋入力部３４は、分析装置１を操作する操作者の指紋情報を制御部３１に入力する（ステップＳ４）。この場合、出力部３８は、図４のメニューＭ１に示すように、欄Ｃ１に「ユーザ認証を行って下さい」と示されたメニューを表示して、指紋押圧装置１０５に所定の指の腹を押し付けるよう操作者に促す。そして、操作者が指紋押圧装置１０５に指の腹を押し付けた場合、指紋入力部３４は、押し付けられた指の指紋パターンを取得して、指紋パターンを指紋情報として制御部３１に入力する。
【００２７】
指紋照合部３２は、指紋入力部３４から入力された指紋パターンを処理し、記憶部３７に記憶された照合テーブルを参照して、指紋入力部３４によって入力された指紋情報に対応する操作者を特定する指紋照合処理を行う（ステップＳ６）。この指紋照合処理においては、図５のテーブルＴｓ１に例示する照合テーブルを参照することによって、指紋入力部３４によって入力された指紋パターンに対応する操作者を特定している。たとえば、指紋照合部３２は、指紋パターンに対応する識別情報が「１２３４５６」であると判断した場合、分析装置１の操作者は、この指紋パターンに対応する操作者「Ａ」であると判断する。
【００２８】
つぎに、操作制御部３３は、記憶部３７内の設定テーブルを参照する（ステップＳ８）、設定テーブルは、図６のテーブルＴ１に示すように、操作者ごとに操作可能または操作不可能である操作内容を対応させている。そして、操作制御部３３は、指紋照合部３２によって特定された操作者に応じて実施可能である操作を制限する操作制限設定処理を行う（ステップＳ１０）。
【００２９】
たとえば、指紋照合部３２が分析装置の操作者が上級操作者である「Ａ」であると特定した場合、操作制御部３３は、テーブルＴ１の内容にしたがって、図７に示すような分析メニューＭＡ１を出力部３８に表示させる。操作者Ａについては、テーブルＴ１に示すように、（Ｒ）ルーチン、（Ｐ）パラメータ、（Ａ）補助、（Ｍ）メンテナンス、（Ｕ）ユーザ、（Ｌ）ログアウトのすべての操作が可能である分析メニューＭＡ１が表示される。
【００３０】
また、指紋照合部３２が分析装置の操作者が中級操作者である「Ｂ」であると特定した場合、操作制御部３３は、テーブルＴ１の内容にしたがって、図８に示すような分析メニューＭＢ１を出力部３８に表示させる。操作者Ｂについては、テーブルＴ１に示すように、（Ｒ）ルーチン、（Ｐ）パラメータ、（Ｌ）ログアウトの操作が可能であり、領域ＳＢ１内の（Ａ）補助、（Ｍ）メンテナンス、（Ｕ）ユーザの操作が不可能である分析メニューＭＢ１が表示される。
【００３１】
また、指紋照合部３２が分析装置の操作者が初級操作者である「Ｃ」であると特定した場合、操作制御部３３は、テーブルＴ１の内容にしたがって、図９に示すような分析メニューＭＣ１を出力部３８に表示させる。操作者Ｃについては、テーブルＴ１に示すように、（Ｒ）ルーチン、（Ｌ）ログアウトの操作が可能であり、領域ＳＣ１内の（Ｐ）パラメータ、（Ａ）補助、（Ｍ）メンテナンス、（Ｕ）ユーザの操作が不可能である分析メニューＭＣ１が表示される。
【００３２】
また、分析装置１においては、操作者に応じて、（Ｒ）ルーチン、（Ｐ）パラメータ、（Ａ）補助、（Ｍ）メンテナンス、（Ｕ）ユーザ、（Ｌ）ログアウトにおける各項目の操作を制限してもよい。この場合、操作制御部３３は、ステップＳ８において、図６に示すテーブルＴ１とともに、図１０に例示するテーブルＴ２を設定テーブルとして参照する。図１０に示すテーブルＴ２は、操作者ごとに（Ｒ）ルーチン、（Ｐ）パラメータ操作などにおける操作可能である各項目を対応させている。
【００３３】
テーブルＴ２に示すように、指紋照合部３２が分析装置の操作者が上級操作者である「Ａ」であると特定した場合、操作制御部３３は、テーブルＴ２の内容にしたがって、（Ｒ）ルーチン、（Ｐ）パラメータ操作などのすべての項目が操作可能である分析メニューを出力部３８に出力させる。
【００３４】
これに対し、指紋照合部３２が分析装置の操作者が中級操作者である「Ｂ」であると特定した場合、操作制御部３３は、テーブルＴ２の内容にしたがって、（Ｐ）パラメータ操作のうち項目（Ｑ）および項目（Ｂ）が操作不可能である分析メニューを出力部３８に出力させる。具体的には、図１１に示すように、分析メニューＭＢ２が表示される。分析メニューＭＢ２においては、（Ｐ）パラメータ操作に対応する領域を選択した場合、項目（Ｙ），（Ｉ），（Ｈ），（Ｒ）に対しては操作可能であるが、領域Ｓｂ１内の項目（Ｑ）および（Ｂ）に対しては、操作不可能となっている。
【００３５】
また、指紋照合部３２が分析装置の操作者が初級操作者である「Ｃ」であると特定した場合、操作制御部３３は、テーブルＴ２の内容にしたがって、（Ｒ）ルーチン操作のうち項目（Ｑ），（Ｄ），（Ｌ）、（Ｐ）パラメータ操作のうち項目（Ｉ），（Ｈ），（Ｒ），（Ｑ），（Ｂ）が操作不可能である分析メニューを出力部３８に出力させる。具体的には、図１２に示すように、分析メニューＭＣ２が表示される。分析メニューＭＣ２においては、（Ｒ）ルーチン操作に対応する領域を選択した場合、項目（Ｓ），（Ｔ），（Ｒ），（Ｃ），（Ｐ），（Ｌ）に対しては操作可能であるが、領域Ｓｃ１内の項目（Ｑ）および項目（Ｄ）に対しては、操作不可能となっている。
【００３６】
このように、分析装置１においては、所定の指を指紋押圧装置１０５に押し付けるという簡易な処理を行うだけで、分析装置１のログインおよび操作者に対応させた操作可能範囲の制限が可能になる。言い換えると、分析装置１によれば、操作者は、従来必要であったマウスやキーボード操作によるＩＤおよびパスワード入力、分析項目の設定処理などの煩雑な処理を行う必要がなく、指紋情報を入力さえすれば、各操作者に対応した操作可能範囲が自動的に設定される。このため、分析装置１によれば、ＩＤの誤入力の発生やＩＤ、パスワードの不正使用による個人情報漏洩を防止できるとともに、ログイン処理までに要する時間を削除することができる。また、分析装置１によれば、操作者に対応させて操作可能範囲を制限し、操作者によっては個人情報の閲覧を不可能とすることによって、セキュリティ向上を図ることができる。さらに、分析装置１によれば、分析装置１の保守点検者のみに対して保守点検操作を可能とすることによって、または、分析装置１の主担当者のみがパラメータ設定などの所定の分析設定処理を可能とすることによって、分析装置の円滑な運用を図ることが可能になる。したがって、分析装置１によれば、簡易かつ迅速に分析処理を開始できるとともにセキュリティ性を向上させることが可能になる。
【００３７】
なお、分析装置１においては、図１３のテーブルＴｓ２に示すように、記憶部３７は、操作者の複数の指紋情報を記憶してもよい。そして、操作制御部３３は、各操作者の各指紋情報に対応させて操作制限を行ってもよい。
【００３８】
この場合、分析装置１は、図３のステップＳ２〜ステップＳ４を行った後、図３のステップＳ６において、指紋照合部３２は、指紋入力部３４によって入力された指紋情報と記憶部３７に記憶された指紋情報とを照合し、指紋入力部３４によって入力された指紋情報に対応する操作者に加え、この操作者のいずれの部位の指紋情報であるかを特定する。また、記憶部３７は、図１４のテーブルＴ２２に示すように、各操作者および各操作者の各部位における指紋情報に対応する操作内容を示す設定テーブルを記憶する。操作制御部３３は、図３に示すステップＳ８において、図１４のテーブルＴ２２を参照する。そして、操作制御部３３は、図３に示すステップＳ１０において、指紋照合部３２によって特定された操作者および該操作者のいずれの部位の指紋情報であるかに応じて操作条件を制限する。操作制御部３３は、図３に示すステップＳ８において、図１４のテーブルＴ２２を参照する。また、操作制御部３３は、指紋照合部３２によって特定された操作者および該操作者のいずれの部位の指紋情報であるかによって出力部３８における各操作画面の表示出力を制限する。
【００３９】
具体的には、テーブルＴ２２における操作者「Ａ」の「人差指」に対応する操作項目が（Ｒ）ルーチンの項目（Ｓ），（Ｔ），（Ｒ），（Ｃ），（Ｐ）である場合、操作者Ａが人差指で認証を行うと、図１５に示すように、操作者Ａの人差指に対応した各項目（Ｓ），（Ｔ），（Ｒ），（Ｃ），（Ｐ）がプルダウン表示された分析メニューＭＡ２が表示される。言い換えると、（Ｒ）ルーチン操作における項目（Ｑ），（Ｄ），（Ｌ）の操作が制限された分析メニューＭＡ２が表示される。操作者Ａが（Ｒ）ルーチンの所定の項目しか操作をしない場合には、操作を行う（Ｒ）ルーチンの所定項目を表示させた分析メニューＭＡ２をそのまま表示させることによって、各メニューを開き所望の項目を表示させるという煩雑な処理を省くことが可能になる。また、操作者Ａが中指で認証を行った場合には、テーブルＴ２２に示すように、（Ｒ）ルーチン操作および（Ｐ）パラメータ操作における各項目のすべての操作が可能である図７に例示する分析メニューＭＡ１が表示される。このように、各操作者の各部位の指紋情報にそれぞれ対応させて、表示画面をさらに変更させてもよい。
【００４０】
つぎに、操作者が実施可能である操作を操作者に対応した操作条件の操作のみに積極的に制限して、指紋照合部３３によって特定された操作者に対応した操作条件を自動的に設定する場合について説明する。この場合、操作制御部３３は、指紋照合部３２によって特定された操作者に対応した操作条件を設定し、指紋照合部３２によって特定された操作者に対応した操作条件を設定した状態で、所定の操作画面を出力部３８に対して表示出力させている。
【００４１】
図１６は、分析装置１が各操作者に対応する操作条件を設定するまでの処理手順に示すフローチャートである。図１６に示すように、図３におけるステップＳ２〜ステップＳ８の処理手順と同様に、制御部３１は分析装置起動に対する判断処理（ステップＳ２２）を行い、指紋入力部３４は指紋入力処理（ステップＳ２４）を行い、指紋照合部３２は、指紋照合処理を（ステップＳ２６）を行い、操作制御部３３は設定テーブル参照処理（ステップＳ２８）を行う。ここで、設定テーブルは、図１７のテーブルＴ３に示すように、操作者ごとに表示メニューの種別、設定内容、使用するパラメータファイルを対応させている。そして、操作制御部３３は、指紋照合部３２によって特定された操作者に対応した操作条件を設定した状態で、所定の操作メニュー画面を出力部３８に対して表示出力させる（ステップＳ３０）。
【００４２】
たとえば、指紋照合部３２が分析装置の操作者が「Ａ」であると特定した場合、操作制御部３３は、テーブルＴ３の内容にしたがって、図１８に示すようなパラメータ設定メニューＭＡ３を出力部３８に表示させる。操作者Ａは、このパラメータ設定メニューＭＡ３上の領域Ｃｐの各パラメータをキーボードやマウスなどの操作を行うことによって設定することができる。したがって、操作者Ａは、指紋入力後にそのままパラメータ設定を行うことができ、マウスを操作して各メニューを順番に開いて目的とするパラメータ設定メニューを呼び出す必要がない。
【００４３】
また、指紋照合部３２が分析装置の操作者が「Ｂ」であると特定した場合、操作制御部３３は、テーブルＴ３の内容にしたがって、図１９に示すような再検査を受け付ける分析メニューＭＢ３を表示させる。この場合、操作制御部３３は、テーブルＴ３に示す「ｂ」のファイルに記憶された各パラメータで分析条件を設定したうえで、分析メニューＭＢ３を出力部３８に表示させる。
【００４４】
また、指紋照合部３２が分析装置の操作者が「Ｃ」であると特定した場合、操作制御部３３は、テーブルＴ３の内容にしたがって、図２０に示すような通常分析メニューＭＣ３を出力部３８に表示させる。この場合、操作制御部３３は、テーブルＴ３に示す「ｃ」のファイルに記憶された各パラメータで分析条件を設定したうえで、通常分析メニューＭＣ３を出力部３８に表示させる。
【００４５】
このように、分析装置１によれば、操作者の指紋情報に対応させて各操作条件を設定した操作画面を表示出力することによって、さらに簡易かつ迅速に分析処理を行うことが可能になる。
【００４６】
また、記憶部３７は、各操作者の複数の部位の指紋情報を記憶し、操作制御部３３は、各操作者の各部位の指紋情報に対応させて操作条件を設定してもよい。たとえば、操作制御部３３は、図１６に示すステップＳ２８において、記憶部３７に記憶された図２１のテーブルＴ３１を参照する。そして、操作制御部３３は、１６に示すステップＳ３０において、指紋照合部３２によって特定された操作者および該操作者のいずれの部位の指紋情報であるかに応じて操作条件を設定した状態で所定の操作メニューを出力部３８に表示出力させる。
【００４７】
たとえば、指紋照合部３２が指紋入力部３４から入力された指紋情報が操作者「Ａ」の人差指に対応すると特定した場合、操作制御部３３は、テーブルＴ３１の内容にしたがって、図１８に示すようなパラメータ設定メニューＭＡ３を出力部３８に表示させる。これに対し、指紋照合部３２が指紋入力部３４から入力された指紋情報が操作者Ａの中指に対応すると特定した場合、操作制御部３３は、テーブルＴ３１の内容にしたがって、図２２に示すような精度管理メニューＭＡ４を出力部３８に表示させる。
【００４８】
また、指紋照合部３２が指紋入力部３４から入力された指紋情報が操作者「Ｃ」の人差指に対応すると特定した場合、操作制御部３３は、図２３に示すように、テーブルＴ３１の内容にしたがって、パラメータファイルｃを使用し「ＡＬＢ，ＧＯＴ，Ｇ−ＧＰＴ」の分析項目が欄Ｃｂ内にすでに設定された通常分析メニューＭＣ４を出力部３８に表示させる。これに対し、指紋照合部３２が指紋入力部３４から入力された指紋情報が操作者「Ｃ」の中指に対応すると特定した場合、操作制御部３３は、図２４に示すように、テーブルＴ３１の内容にしたがってパラメータファイルｃを使用し「ＡＬＢ，ＧＯＴ，ＧＰＴ」の分析項目が欄Ｃｂ内にすでに設定された通常分析メニューＭＣ５を出力部３８に表示させる。このように、操作者ごとに複数の操作条件を設定し、さらに簡易かつ迅速な分析処理を実現してもよい。
【００４９】
また、指紋入力部３４は、指紋の凹部と凸部との圧力値の差に基づいて指紋情報を取得する場合について説明したが、これに限らず、指紋の凹部と凸部の伝熱特性の差に基づいて指紋情報を取得してもよく、指紋の凹部と凸部の静電容量の差に基づいて指紋情報を取得してもよい。また、指紋の凹部および／または凸部を撮像して光学的に指紋情報を取得してもよい。
【００５０】
また、実施の形態として、個人生体情報として指紋情報を取得することによって操作者を特定する場合について説明したが、これに限らず、手のひらの静脈、声紋、ＤＮＡなどの個人生体情報を入力し、この個人生体情報にもとづき操作者を特定してもよい。
【００５１】
また、上記実施の形態で説明した分析装置１は、あらかじめ用意されたプログラムをコンピュータシステムで実行することによって実現することができる。このコンピュータシステムは、所定の記録媒体に記録されたプログラムを読み出して実行することで分析装置１の処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワークを介して他のコンピュータシステムなどからプログラムを取得し、取得したプログラムを実行することで分析装置１の処理動作を実現する。
【図面の簡単な説明】
【００５２】
【図１】実施の形態にかかる分析装置の構成を示すブロック図である。
【図２】実施の形態にかかる分析装置の概略図である。
【図３】図１に示す分析装置における操作制限設定までの処理手順を示すフローチャートである。
【図４】図１に示す出力部が有するディスプレイの表示画面の一例を示す図である。
【図５】図１に示す記憶部が記憶する照合テーブルの一例を示す図である。
【図６】図１に示す記憶部が記憶する設定テーブルの一例を示す図である。
【図７】図１に示す出力部が有するディスプレイの表示画面の一例を示す図である。
【図８】図１に示す出力部が有するディスプレイの表示画面の一例を示す図である。
【図９】図１に示す出力部が有するディスプレイの表示画面の一例を示す図である。
【図１０】図１に示す記憶部が記憶する設定テーブルの一例を示す図である。
【図１１】図１に示す出力部が有するディスプレイの表示画面の一例を示す図である。
【図１２】図１に示す出力部が有するディスプレイの表示画面の一例を示す図である。
【図１３】図１に示す記憶部が記憶する照合テーブルの一例を示す図である。
【図１４】図１に示す記憶部が記憶する設定テーブルの一例を示す図である。
【図１５】図１に示す出力部が有するディスプレイの表示画面の一例を示す図である。
【図１６】図１に示す分析装置における操作画面を表示するまでの処理手順を示すフローチャートである。
【図１７】図１に示す記憶部が記憶する設定テーブルの一例を示す図である。
【図１８】図１に示す出力部が有するディスプレイの表示画面の一例を示す図である。
【図１９】図１に示す出力部が有するディスプレイの表示画面の一例を示す図である。
【図２０】図１に示す出力部が有するディスプレイの表示画面の一例を示す図である。
【図２１】図１に示す記憶部が記憶する設定テーブルの一例を示す図である。
【図２２】図１に示す出力部が有するディスプレイの表示画面の一例を示す図である。
【図２３】図１に示す出力部が有するディスプレイの表示画面の一例を示す図である。
【図２４】図１に示す出力部が有するディスプレイの表示画面の一例を示す図である。
【符号の説明】
【００５３】
１  分析装置
２  測定機構
３  処理機構
３１  制御部
３２  指紋照合部
３３  操作制御部
３４  指紋入力部
３５  入力部
３６  分析部
３７  記憶部
３８  出力部
３９  送受信部
１０１  本体部
１０２  ディスプレイ
１０３  キーボード
１０４  マウス
１０５  指紋押圧装置
【図１】
2008082744.tif 000003
【図２】
2008082744.tif 000004
【図３】
2008082744.tif 000005
【図４】
2008082744.tif 000006
【図５】
2008082744.tif 000007
【図６】
2008082744.tif 000008
【図７】
2008082744.tif 000009
【図８】
2008082744.tif 000010
【図９】
2008082744.tif 000011
【図１０】
2008082744.tif 000012
【図１１】
2008082744.tif 000013
【図１２】
2008082744.tif 000014
【図１３】
2008082744.tif 000015
【図１４】
2008082744.tif 000016
【図１５】
2008082744.tif 000017
【図１６】
2008082744.tif 000018
【図１７】
2008082744.tif 000019
【図１８】
2008082744.tif 000020
【図１９】
2008082744.tif 000021
【図２０】
2008082744.tif 000022
【図２１】
2008082744.tif 000023
【図２２】
2008082744.tif 000024
【図２３】
2008082744.tif 000025
【図２４】
2008082744.tif 000026